(57)【要約】  本発明は、製品および商品のボックス包装の際、ボックスを破損しないで、きれいで安全に包装できるボックスホルダーとして、互いに所定間隔をおいて離隔した二つの水平バーと二つの水平バーから折り曲げられるように延長形成された複数の第一折り曲げ部と複数の第一折り曲げ部を繋ぐ複数の第一支持部と二つの水平バーに結合される複数の結合片と複数の結合片から折り曲げられるように延長して形成される複数の第二折り曲げ部および複数の第二折り曲げ部を繋ぐ複数の第二支持部を含むボックスホルダーに関する。【選択図】図４
2021506695.tif 000002
【特許請求の範囲】
【請求項１】
所定間隔で互いに平行に配置される一対の横折り曲げ部材、
前記横折り曲げ部材に垂直に結合され、互いに逆方向へと延長される少なくとも一対の縦折り曲げ部材、および
前記折り曲げ部材の端部を繋ぐ支持部材を含むボックスホルダー。
【請求項２】
前記支持部材は包装ボックスの側面の支持力を増加させることを特徴とする請求項１に記載のボックスホルダー。
【請求項３】
前記支持部材は互いに隣接する一対の折り曲げ部材の端部を繋ぐ複数の支持部材を含むことを特徴とする請求項１に記載のボックスホルダー。
【請求項４】
前記支持部材は折り曲げ部材の端部を全て連結する四角の支持部材を含むことを特徴とする請求項１に記載のボックスホルダー。
【請求項５】
互いに所定間隔をおいて離隔した二つの水平バーと該水平バーから直角方向へと延長された一対の垂直バーとして構成され、相互対称に配置する際、全体的に十字架の形を成す一対の対称型バー、
前記該対称型バーの端部を結合可能な折り曲げ部材、および
前記折り曲げ部材の端部を繋ぐ支持部材
を含むボックスホルダー。
【請求項６】
前記支持部材は包装ボックスの側面の支持力を増加させることを特徴とする請求項５に記載にボックスホルダー。
【請求項７】
前記支持部材は前記対称型バーに長さが変わる方式で結合可能なことを特徴とする請求項５に記載のボックスホルダー。
【請求項８】
前記支持部材は互いに隣接する一対の折り曲げ部材の端部を繋ぐ複数の支持部材を含むことを特徴とする請求項７に記載のボックスホルダー。
【請求項９】
前記支持部材の上下の幅は前記対称型バーまたは前記折り曲げ部材の幅より大きく形成されることを特徴とする請求項７に記載のボックスホルダー。   
【請求項１０】
前記支持部材または前記対称型バーのうち、少なくとも一つに目印が表示されるように形成されることを特徴とする請求項７に記載のボックスホルダー。
【請求項１１】
互いに所定間隔をおいて離隔した二つの水平バー、および
前記水平バーの端部を全て繋ぐように形成された四角支持部材を含むボックスホルダー。
【請求項１２】
前記水平バーと前記支持部材は弾性のある材料で形成されることを特徴とする請求項１１に記載のボックスホルダー。
【請求項１３】
前記水平バーと前記支持部材は一体型で形成されることを特徴とする請求項１２に記載のボックスホルダー。
【請求項１４】
前記水平バーの長さは、前記水平バーに平行に配置される前記四角支持部材の辺の長さよりさらに長いことを特徴とする請求項１３に記載のボックスホルダー。
【請求項１５】
前記支持部材の端部は、包装ボックスの側面に接触しないように削れた形で形成されることを特徴とする請求項１乃至請求項１４のうち、いずれかの請求項に記載のボックスホルダー。
【発明の詳細な説明】
【技術分野】
【０００１】
本発明は、ボックスホルダーに関する。より詳細には製品および商品のボックス包装の際、ボックスを破損しないで、きれいで安全に包装および解体できるボックスホルダーを提供することに関する。
【背景技術】
【０００２】
従来、各種の紙類（段ボール、板紙など）で製造され平面の形で供給される包装ボックスを順次に折り、立体型の包装ボックスを作った後、そこに品物を入れ込み、ステープルピンという鉄の固定用のピンを用いて機械または簡易のジグで上下面を封して出荷した。このように出荷された包装ボックスの包装を解体するためには、上下面で少なくとも12個以上のステープルピンを取り除く必要がある。しかし、ステープルピンを取り除く作業はなかなか不便で、取り除く際に鋭いピンの先で怪我をする恐れがある。また、包装ボックスの表面に損傷を与え再利用できなくなる。一方、包装ボックスの上下面を接着テープで閉じる方法もあるが、これもまた、包装の解体の際、包装ボックスの表面が破れ損傷を与える恐れがある。    
【０００３】
一般に、図1に示す如く、包装ボックス１０は、その上面または下面の第一カバー１１と第二カバー１２が互いに向かい合って起立状態になり、その入り口を通して品物を入れ込んだ後、包装ボックス１０の第一カバー１１と第二カバー１２を合わせ折って閉じる。そして、端１１１、１１２に沿ってテープ（図２の参照符号２０）でテーピングして密封包装する。しかし、図3に示す如く、第一カバー１１と第二カバー１２の端１１１、１１２にテープを付着する際、端１１１、１１２が密着せず、完全に密閉包装できない問題を抱えている。このような問題を解決するため、多くの人は、第一カバー１１と第二カバー１２の端１１１、１１２を足や手で下に押しながらテーピングをしてきた。
【０００４】
大韓民国公開実用新案第２０−０３９３７６９号（以下、「先行文献１」と称する）には、紙類（段ボール、板紙など）で製造され平面の形で提供される包装ボックスを順次に折って、立体型の包装ボックスの形に整えるための包装ボックス折り畳み装置を開示している。一方、大韓民国公開特許第１０−０５６４８０６号（以下、「先行文献２」と称する）には、テープ付着装置を開示している。先行文献１，２によると、平面状態で提供される包装ボックスを順次に折って、立体型の包装ボックスの形に整えた後、品物をそこに入れ込んでテープ付着装置を用いてテーピングすれば済む。
【０００５】
しかし、家庭、郵便局、一般事務所などで包装ボックスを大量に処理しない限り、先行文献１，２に開示のような高価の機械を購入して使う事は、経済的ではない。
【発明の概要】
【発明が解決しようとする課題】
【０００６】
本発明は、前記のような背景の元で提案されたもので、本発明は製品および商品のボックス包装の際、ボックスを破損しないで、きれいで安全に包装および解体できるボックスホルダーを提供することを目的とする。
【０００７】
また、本発明は包装ボックスの大きさに合わせて変更可能なボックスホルダーを提供することを目的とする。
【０００８】
尚、本発明は包装ボックスの組み立て乃至、包装ボックスへの入れ込みを容易にするボックスホルダーを提供する。
【課題を解決するための手段】
【０００９】
前記のような目的を達成するために、本発明の一実施形態に係るボックスホルダーは、所定間隔で互いに平行に配置される一対の横折り曲げ部材と、前記横折り曲げ部材に垂直に結合し、互いに逆方向へと延長される少なくとも一対の縦折り曲げ部材、および前記折り曲げ部材の端部を繋ぐ支持部材を含む。
【００１０】
尚、前記支持部材は、包装ボックスの側面の支持力を増加させることを特徴とする。
【００１１】
また、前記支持部材は、互いに隣接する一対の折り曲げ部材の端部を繋ぐ複数の支持部材を含むことを特徴とする。
【００１２】
尚、前記支持部材は、該折り曲げ部材の端部をすべて繋ぐ四角の支持部材を含むことを特徴とする。
【００１３】
前記のような目的を達成するために、本発明の一実施形態に係るボックスホルダーは、互いに所定間隔をおいて離隔した二つの水平バーと該水平バーから直角方向へ延長された一対の垂直バーで構成され、相互対称に配置されると、全体的に十字架の形を成す一対の対称型のバーと、前記各対称バーの端部と結合可能な折り曲げ部材、および前記折り曲げ部材の端部を繋ぐ支持部材を含む。
【００１４】
また、前記各支持部材は、包装ボックスの側面の支持力を増加させることを特徴とする。
【００１５】
尚、前記支持部材は、前記対称型のバーに長さを変えられる方式で結合可能なことを特徴とする。
【００１６】
なお且つ、前記支持部材は、互いに隣接する一対の折り曲げ部材の端部を繋ぐ複数の支持部材を含むことを特徴とする。
【００１７】
また、前記支持部材の上下の幅は、前記対称型のバーまたは、前記折り曲げ部材の幅より大きく形成されることを特徴とする。                            
【００１８】
また、前記支持部材または、前記対称型のバーの内、少なくとも一つに目印が形成されることを特徴とする。
【００１９】
前記のような目的を達成するために、本発明の一実施形態に係るボックスホルダーは、互いに所定間隔をおいて離隔した二つの水平バー、および前記水平バーの端部をすべて繋ぐように形成された四角支持部材を含む。
【００２０】
また、前記水平バーと前記支持部材は弾性のある材料で形成されることを特徴とする。
【００２１】
尚、前記水平バーと前記支持部材は一体型といて形成されることを特徴とする。
【００２２】
なお且つ、前記水平バーの長さは前記各水平バーに平行に配置される前記四角支持部材の辺の長さよりさらに長いことを特徴とする。
【００２３】
また、前記支持部材の端部は、包装ボックスの側面に接触しないように削れた形で形成されることを特徴とする。
【発明の効果】
【００２４】
前述のように、本発明に係るボックスホルダーは次のような効果がある。
【００２５】
第一に、ボックス包装の際、ボックスの上面が浮き上がることがあるが、それを押さえてユーザーの手が自由になる。また、ボックス包装の際、ボックスを破損しないで、きれいで安全に包装および解体できる。
【００２６】
第二に、包装ボックスの大きさに合わせて変更可能である。
【００２７】
第三に、支持部材を備えて包装ボックスの支持力を増加させ、ボックスホルダーのはめ込みを容易にする。
【００２８】
第四に、支持部材の端部が包装ボックスの側面に接触しないように削れた形を成し、ボックスホルダーのはめ込みを容易にする。
【図面の簡単な説明】
【００２９】
【図１】従来の平面の形の包装ボックスを立体型へと折り曲げる過程を説明するための例示図である。
【００３０】
【図２】図１の立体型の包装ボックスをテーピングする過程を説明するための例示図である。
【００３１】
【図３】従来の包装ボックスをテーピングした結果を説明するための例示図である。
【００３２】
【図４】本発明の第一実施形態に係るボックスホルダーを示す。
【００３３】
【図５】本発明の一実施形態に係るボックスホルダーを立体型包装ボックスにはめ込む過程を説明するための例示図である。
【００３４】
【図６】本発明の第一実施形態に係るボックスによって包装された包装ボックスをテーピングする過程を説明するための例示図である。
【００３５】
【図７】テーピングされた包装ボックスから本発明の第一実施形態に係るボックスホルダーを解体する過程を説明するための例示図である。
【００３６】
【図８】本発明の第二実施形態に係るボックスホルダーを示す。
【００３７】
【図９】本発明の第二実施形態に係るボックスホルダーを立体型の包装ボックスにはめ込む過程を説明するための例示図である。
【００３８】
【図１０】本発明の第二実施形態に係るボックスホルダーによって包装された包装ボックスをテーピングした結果を示す。
【００３９】
【図１１】本発明の第三実施形態に係るボックスホルダーを示す。
【００４０】
【図１２】本発明の第三実施形態に係るボックスホルダーを立体型の包装ボックスにはめ込む過程を説明するための例示図である。
【００４１】
【図１３】本発明の第三実施形態に係るボックスホルダーによって包装された包装ボックスをテーピングした結果を示す。
【００４２】
【図１４】本発明の第四実施形態に係るボックスホルダーを示す。
【００４３】
【図１５】本発明の第四実施形態に係るボックスホルダーを立体型の包装ボックスにはめ込む過程を説明するための例示図である。
【００４４】
【図１６】テーピングされた包装ボックスから本発明の第四実施形態に係るボックスホルダーを解体する過程を説明するための例示図である。
【００４５】
【図１７】本発明の第五実施形態に係るボックスホルダーを示す。
【００４６】
【図１８】本発明の第五実施形態に係るボックスホルダーを立体型の包装ボックスにはめ込む過程を説明するための例示図である。
【００４７】
【図１９】本発明の第五実施形態に係るボックスホルダーによって包装された包装ボックスをテーピングする過程を説明するための例示図である。
【００４８】
【図２０】本発明の第六実施形態に係るボックスホルダーを示す。
【００４９】
【図２１】本発明の第六実施形態に係るボックスホルダーの大きさを変更する過程を説明するための例示図である。
【００５０】
【図２２】本発明の第六実施形態に係るボックスホルダーの大きさを変更して多様な大きさの包装ボックスにはめ込んだ結果を説明するための例示図である。
【００５１】
【図２３】本発明の第七実施形態に係るボックスホルダーを示す。
【００５２】
【図２４】本発明の第七実施形態に係るボックスホルダーを立体型の包装ボックスにはめ込んだ結果を説明するための例示図である。
【００５３】
【図２５】本発明の第一乃至第六の実施形態に係るボックスホルダーの支持部材の端部の側面拡大図である。
【発明を実施するための形態】
【００５４】
以下、添付された図面を参考に前述した、そして、追加的な様相を記述される望ましい実施形態を用いて本発明を当業者が容易に理解し、再現できるように詳細に説明する。
【００５５】
本明細書における包装ボックスの材質は紙類（段ボール、板紙など）、プラスチック、または板材として実現できる。包装ボックスは、平面の形で供給される包装ボックスを順次に折り曲げて、立体型の包装ボックスを作った後、立体型の包装ボックスに製品を挿入できるように実現できる。
【００５６】
ボックスホルダーは、多面体である包装ボックスの上面とすべての側面を中心に向けて折れるように抑えてくれる装置である。ボックスホルダーの材質は弾性のあるゴムまたは合成樹脂で実現でき、一般金属でも実現できる。ボックスホルダーを弾性のある材料で実現する場合、ボックスホルダーの大きさを包装ボックスのサイズより小さく作り、包装ボックス（多面体）のすべての側面が中心に向け、同時に上面を下（中心）に抑える。
【００５７】
ボックスホルダーを金属のような重さのある材料で実現する場合、ボックスホルダーの足部分の抑える力が包装ボックスのすべての側面を中心に向けるようにして、ボックスホルダー自体の重さで上面を下に抑えてくれるようにする。
【００５８】
本発明の第一実施形態に係るボックスホルダー４０は、図4に示す如く互いに所定間隔をおいて離隔した二つの水平バー４１、４２と水平バー４１，４２から折り曲げられるように延長して形成される第一折り曲げ部４１１、４１２、４２１、４２２と第一折り曲げ部４１１、４１２、４２１、４２２を繋ぐ第一支持部４３、４４を含む。本発明に係るボックスホルダー４０は、二つの水平バー４１，４２に結合される結合片４５、４６、４８、４９と結合片４５、４６、４８、４９から折り曲げられるように延長して形成される第二折り曲げ部４５１、４６１、４８１、４９１と第二折り曲げ部４５１、４６１、４８１、４９１をつなぐ第二支持部４７，５０を含む。
【００５９】
第一実施形態に係る水平バー４１とその両断の折り曲げ部４１１、４１２は一体として形成することができる。同じく、水平バー４２とその両断の折り曲げ部４１１，４１２も一体として形成することができる。また、各結合片４５、４６、４８，４９と第二折り曲げ部４５１、４６１、４８１、４９１も一体として形成され、各結合片の一端が水平バー４１，４２に溶接などの方法で結合できる。
【００６０】
従って、一つの水平バー４１と該両端の折り曲げ部４１１，４１２を合わせて、横方向折り曲げ部材と称し、水平バー４１に垂直に結合された結合片４５と第二折り曲げ部４５１を合わせて縦方向折り曲げ部材と称すると、第一実施形態では互いに平行に置いた二つの横方向折り曲げ部材と該横方向折り曲げ部材に垂直に結合して、互いに逆方向へ延長された一対の縦方向折り曲げ部材および隣接する一対の折り曲げ部の端部を繋ぐ支持部材を含むように構成されたものと言える。
【００６１】
第一実施形態においては、一対の横方向折り曲げ部材と二双の縦方向折り曲げ部材が含まれたが、それより簡単に、即ち、一つの横方向折り曲げ部材の中心部から垂直となる両方向へと延長される一対の縦折り曲げ部材および該折り曲げ部材の自由端に垂直となる方向へと形成される支持部材として構成されることも可能である。
【００６２】
図５に示す如く、ユーザーが包装ボックス１０の入り口の第一カバー１１と第二カバー１２を合わせて折った後、本発明の第一実施形態に係るボックスホルダー４０を包装ボッスク１０の上面から下にゆっくりはめ込むと、ボックスホルダー４０は、包装ボックス１０のすべての側面１３を中心に向けるように押しながらボックスホルダー４０自体の重さで第一カバー１１と第二カバー１２を下に抑えながら完全に密閉包装することができる。また、ボックスホルダーはボックスのカバーをそれぞれの位置に位置づけ、ユーザーは包装の際、手でボックスを掴んだり、抑えたりする必要がないので手が自由になる。ユーザーは本発明の第一実施形態に係るボックスホルダー４０によって包装された包装ボックス１０を宅配業者に頼んで、望む場所に届けることができる。ここで、各支持部４３、４４、４７、５０は、包装ボックス１０の側面１３に支持力を増加させ、包装ボックス１０の中心へと集めてくれる役割をする。
【００６３】
一例として、図６に示す如く、ユーザーは包装ボックス１０の第一カバー１１と第二カバー１２が向かい合う端に補助固定手段であるテープ２１を付着することができる。図７に示す如く、ユーザーは補助固定手段であるテープ２１が付着された包装ボックス１０からボックスホルダー４０を解体し、宅配業者に頼んで、望む場所に届けることができる。そのため、ボックスホルダー４０の一側にテープカッター（未図示）が付着または形成することができる。
【００６４】
一方、図６とは違い、テープ２１とボックスホルダー４０がすべて装着された状態で、包装ボックス１０を運ぶことができる。また、単一横折り曲げ部材および・又は単一縦折り曲げ部材を設けたボックスホルダー４０の場合には横折り曲げ部材および・または縦折り曲げ部材の上にテープ２１を付着して包装ボックス１０を運ぶこともできる。
【００６５】
本発明の第二実施形態に係るボックスホルダー８０は、図8に示す如く、互いに所定間隔をおいて離隔した二つの水平バー８１，８２と水平バー８１，８２から折り曲げるように延長して形成される第二折り曲げ部８３１、８４１、８５１、８６１、および第一折り曲げ部８１１、８１２、８２１、８２２と第二折り曲げ部８３１、８４１、８５１、８６１をすべて繋ぐ支持部８７を含む。
【００６６】
第二実施形態は互いに平行に置いた二つの横方向折り曲げ部材と該横方向折り曲げ部材に垂直に結合して互いに逆方向へと延長された一対の縦方向折り曲げ部材および該折り曲げ部の端部をすべて繋ぐ四角支持部材を含むように構成されたものと言える。
【００６７】
第二実施形態では一対の横方向折り曲げ部材と二双の縦方向折り曲げ部材が含まれるが、それより簡単に、即ち一つの横方向折り曲げ部材の中心から垂直となる両方向へ延長される一対の縦折り曲げ部材と該折り曲げ部材の自由端に垂直となる方向へと形成される四角支持部材で構成されることも可能である。
【００６８】
図９に示す如く、ユーザーが包装ボックス１０の入り口の第一カバー１１と第二カバー１２を組み立てた後、本発明の第二実施形態に係るボックスホルダー８０を包装ボックス１０の上面から下にゆっくりはめ込むと、ボックスホルダー８０は、包装ボックス１０の全ての側面１３を中心に向けるように抑えながらボックスホルダー８０自体の重さで第一カバー１１と第二カバー１２を下に抑えてくれて完全密閉包装ができる。また、ボックスホルダーはボックスのカバーの位置を決め、ユーザーは包装の際、手でボックスを掴んだり、抑えたりする必要がなく、手が自由になる。ユーザーは、本発明の第二実施形態に係るボックスホルダー８０によって包装された包装ボックス１０を宅配業者に頼んで望む場所に届けることができる。ここで、支持部８７は包装ボックス１０の各側面１３に支持力を増加させ、包装ボックス１０の中心へと集めてくれる役割をする。
【００６９】
一例として、図１０に示す如く、ユーザーは包装ボックス１０の第一カバー１１と第二カバー１２が向い合う端に補助固定手段であるテープ２１を付着することができる。図示はしなかったが、ユーザーは補助固定手段であるテープ２１が付着される包装ボックス１０からボックスホルダー８０を解体し、宅配業者に頼んで望む場所に届けることができる。一方、図１０とは違い、テープ２１とボックスホルダー４０がすべて装着された状態で包装ボックス１０を運ぶこともできる。また、単一横折り曲げ部材及び・または単一縦折り曲げ部材を設けたボックスホルダー４０の場合は、横折り曲げ部材および／または縦折り曲げ部材の上にテープ２１を付着し、包装ボックス１０を運ぶこともできる。
【００７０】
本発明の第三実施形態に係るボックスホルダー１１１０は、図１１に示す如く、互いに所定間隔をおいて離隔した二つの水平バー１１１１、１１１２と水平バー１１１１、１１１２から折り曲げ延長して形成される第一折り曲げ部１１１１１、１１１１２、１１１２１、１１１２２と二つの水平バー１１１１、１１１２と結合する結合片１１１３、１１１４、１１１５、１１１６と結合片１１１３、１１１４、１１１５、１１１６から折り曲げるように延長して形成される第二折り曲げ部１１１３１、１１１４１、１１１５１、１１１６１、および第一折り曲げ部１１１１１、１１１１２、１１１２１、１１１２２と第二折り曲げ部１１１３１、１１１４１、１１１５１、１１１６１を全て繋ぐ支持部１１１７、水平バー１１１１、１１１２と結合片１１１３、１１１４、１１１５、１１１６を繋ぐ連結部１１１８、１１１９を含む。
【００７１】
第三実施形態は互いに平行に置いた二つの横方向折り曲げ部材と該横方向折り曲げ部材に垂直に結合され、互いに逆方向へと延長された一対の縦方向折り曲げ部材とその折り曲げ部の端部を全て繋ぐ四角支持部材および横方向折り曲げ部材とそれに垂直に結合された縦方向折り曲げ部材を繋ぐ少なくとも一つの連結部材を含むように構成されたものと言える。
【００７２】
図１２に示す如く、ユーザーが包装ボックス１０の入り口の第一カバー１１と第二カバー１２を向かい合わせた後、本発明の第三実施形態に係るボックスホルダー１１１０を包装ボックス１０の上面から下にゆっくりはめ込むと、ボックスホルダー１１１０は、包装ボックスの全ての側面１３を中心に向けるように押しながらボックスホルダー１１１０自体の重さで第一カバー１１と第二カバー１２を下に抑えて、ユーザーは包装の際、手でボックスを掴んだり、抑えたりする必要がなく、手が自由になる。ユーザーは本発明の第三実施形態に係るボックスホルダー１１１０によって包装された包装ボックス１０を宅配業者に頼んで望む場所に届けることができる。ここで、支持部１１１７は、包装ボックス１０の各側面に支持力を増加させ、包装ボックス１０の中心へと集めてくれる役割をする。
【００７３】
一例として、図１３に示す如く、ユーザーは包装ボックス１０の第一カバー１１と第二カバー１２が向い合う端に補助固定手段であるテープ２１を付着することができる。図示しなかったが、ユーザーは補助固定手段であるテープ２１が付着された包装ボックス１０からボックスホルダー１１１０を解体して、宅配業者に頼んで望む場所に届けることができる。一方、図１３とは違い、テープ２１とボックスホルダー４０がすべて装着された状態で包装ボックス１０を運ぶこともできる。また、単一横折り曲げ部材および・または単一縦折り曲げ部材を設けたボックスホルダー４０の場合には、横折り曲げ部材および・または縦折り曲げ部材の上にテープ２１を付着して包装ボックス１０を運ぶことも可能である。
【００７４】
本発明の第四実施形態に係るボックスホルダー１４１０は、図１４に示す如く、互いに所定間隔をおいて離隔した二つの水平バーとその水平バーから直角方向へと延長された一対の垂直バーで構成され、相互対称に配置する際、全体的に十字架の形を成す一対の対称型バー１４１１、１４１４と該対称バー１４１１、１４１４の端部と結合ねじ１４によって結合される結合片１４１２、１４１３、１４１５、１４１６、１４１９、１４２１、１４２３、１４２４と結合片１４１２、１４１３、１４１５、１４１６、１４１９、１４２１、１４２３、１４２４から折り曲げられるように延長形成される折り曲げ部１４１２１、１４１３１、１４１５１、１４１６１、１４１９１、１４２１１、１４２３１、１４２４１および互いに隣接する一対の折り曲げ部１４１２１、１４１３１、１４１５１、１４１６１、１４１９１、１４２１１、１４２３１、１４２４１を繋ぐ複数の支持部１４１７、１４１８、１４２２、１４２５を含む。
【００７５】
第四実施形態は互いに所定間隔をおいて離隔した二つの水平バーとその水平バーから直角方向へと延長された一対の垂直バーで構成され、相互対称に配置する際、全体的に十字架の形を成す一対の対称型バー１４１１、１４１４と該対称型バー１４１１、１４１４の端部と結合可能な折り曲げ部材と互いに隣接する一対の折り曲げ部の端部を繋ぐ支持部材を含むように構成されたものと言える。
【００７６】
図１５に示す如く、ユーザーが包装ボックス１０の入り口の第一カバー１１と第二カバー１２を向かい合わせて折った後、本発明の第四実施形態に係るボックスホルダー１４１０を包装ボックス１０の上面から下にゆっくりはめ込むと、ボックスホルダー１４１０は包装ボックス１０のすべての側面１３を中心に向けるように押しながらボックスホルダー１４１０自体の重さで第一カバー１１と第二カバー１２を下に抑えてくれて完全密閉包装ができる。また、ボックスホルダーはボックスのカバーをそれらの位置に位置づけ、ユーザーは包装の際、手でボックスを掴んだり、抑えたりする必要がなく手が自由になる。ユーザーは本発明の第四実施形態に係るボックスホルダー１４１０によって包装された包装ボックス１０を宅配業者に頼んで望む場所に届けることができる。ここで、支持部１４１７、１４１８、１４２２、１４２５は包装ボックス１０の側面１３に支持力を増加させ、包装ボックス１の中心へと集めてくれる役割をする。
【００７７】
一例として、図１６に示す如く、ユーザーは包装ボックス１０の第一カバー１１と第二カバー１２が向い合う端に補助固定手段であるテープ２１を付着することができる。ユーザーは補助固定手段であるテープ２１が付着された包装ボックス１０からボックスホルダー１４１０を解体して、宅配業者に頼んで望む場所に届けることができる。一方、図１６とは違い、テープ２１とボックスホルダー４０が全て装着された状態で包装ボックスを運ぶことができる。
【００７８】
本発明の第五実施形態に係るボックスホルダー１７１０は、図１７に示す如く、互いに所定間隔をおいて離隔した二つの水平バーとその水平バーから直角方向へと延長した一対の垂直バーで構成され、相互対称に配置する際、全体的に十字架の形を成す一対の対称型バー１７１１、１７１４と該対称型バー１７１１、１７１４の端部と結合ねじ１４によって結合される結合片１７１２、１７１３、１７１５、１７１６、１７１９、１７２１、１７２３、１７２４と結合片１７１２、１７１３、１７１５、１７１６、１７１９、１７２１、１７２３、１７２４から折り曲げられるように延長して形成される折り曲げ部１７１２１、１７１３１、１７１５１、１７１６１、１７１９１、１７２１１、１７２３１、１７２４１および互いに隣接する一対の折り曲げ部１７１２１、１７１３１、１７１５１、１７１６１、１７１９１、１７２１１、１７２３１、１７２４１を繋ぐ複数の支持部１７１７、１７１８、１７２２、１７２５を含む。複数の支持部１７１７、１７１８、１７２２、１７２５の上下の幅は第四実施形態に係るボックスホルダー１４１０の複数の支持部１４１７、１４１８、１４２２、１４２５の上下の幅より大きく実現される。
【００７９】
第五実施形態は、互いに所定間隔をおいて離隔した二つの水平バーとその水平バーから直角方向へと延長された一対の垂直バーで構成され、相互対称で配置される場合、全体的に十字架の形を成す一対の対称型バー１７１１、１７１４と該対称型バー１７１１、１７１４の端部と結合可能な折り曲げ部材と互いに隣接する一対の折り曲げ部の端部をつなぎ、支持力を高めるため、上下の幅が前記対称型バーまたは前記折り曲げ部材の幅よりさらに大きくなるように形成される支持部材を含むように構成されたものであると言える。
【００８０】
図１８に示す如く、ユーザーが包装ボックス１０の入り口の第一カバー１１と第二カバー１２を向かい合わせて折った後、本発明の第五実施形態に係るボックスホルダー１７１０を包装ボックス１０の上面から下にゆっくりはめ込むと、ボックスホルダー１７１０自体の重さで第一カバー１１と第二カバー１２を下に抑えて、完全密閉包装ができる。また、ボックスホルダーはボックスのカバーをそれらの位置に位置付けてくれるため、ユーザーは包装の際、手でボックスを掴んだり、抑えたりする必要がなく、手が自由になる。ユーザーは本発明の第五実施形態に係るボックスホルダー１７１０によって包装された包装ボックス１０を宅配業者に頼んで望む場所に届けることができる。
【００８１】
一例として、図１９に示す如く、ユーザーは包装ボックス１０の第一カバー１１と第二カバー１２が向い合う端に補助固定手段であるテープ２０を付着することができる。図示しなかったが、ユーザーは補助固定手段であるテープ２１が付着された、包装ボックス１０からボックスホルダー１７１０を解体し、宅配業者に頼んで望む場所に届けることができる。
【００８２】
本発明の第六実施形態に係るボックスホルダー２０１０は、図２０に示す如く、互いに所定間隔をおいて離隔した二つの水平バーとその水平バーから直角方向へ延長された一対の垂直バーで構成され、相互対称に配置する際、全体的に十字架の形を成す一対の対称型バー２０１１、２０１４、とその対称型バー２０１１，２０１４の端部と結合ねじ１４によって結合される結合片２０１２、２０１３、２０１５、２０１６、２０１９、２０２１、２０２３、２０２４と結合片２０１２、２０１３、２０１５、２０１６、２０１９、２０２１、２０２３、２０２４から折り曲げられるように延長して形成される折り曲げ部２０１２１、２０１３１、２０１５１、２０１６１、２０１９１、２０２１１、２０２３１、２０２４１および互いに隣接する一対の折り曲げ部２０１２１、２０１３１、２０１５１、２０１６１、２０１９１、２０２１１、２０２３１、２０２４１を繋ぐ複数の支持部２０１７、２０１８、２０２２、２０２５を含む。
【００８３】
本発明の第六実施形態に係るボックスホルダー２０１０は、結合片２０１２、２０１３、２０１５、２０１６、２０１９、２０２１、２０２３、２０２４に目印が表示されていて、ユーザーは図２１および図２２に示す如く包装ボックス３１、３２、３３の大きさに対応できるようにボックスホルダー２０１０の大きさを変えることができる。
【００８４】
第六実施形態は、互いに所定間隔をおいて離隔した二つの水平バーとその水平バーから直角方向へと延長された一対の垂直バーで構成され、相互対称に配置する際、全体的に十字架の形を成す一対の対称型バー２０１１、２０１４とその対称型バー２１００、２０１４の端部と結合可能な折り曲げ部材と互いに隣接する一対の折り曲げ部材の端部を繋ぐ支持部材を含むように構成され、それによって折り曲げ部材と対称型バーの結合の深さによって、ボックスホルダーの大きさを変えることができる点は、第四実施形態および第五実施形態と同一であるが、折り曲げ部材に目印を表示して、ユーザーが変わるその程度を容易に把握できるように構成した点は、その違いと言える。それとは別に、当業者は対称型のバーに目印を表示することも考えられる。
【００８５】
本発明の第七実施形態に係るボックスホルダー２３１０は、図２３に示す如く、互いに所定間隔をおいて離隔した二つの水平バー２３１１、２３１２と水平バー２３１１、２３１２から延長して形成される結合部２３１１１、２３１１２、２３１２１、２３１２２および結合部２３１１１、２３１１２、２３１２１、２３１２２を繋ぐ支持部２３１３を含む。ここで結合部は水平バーの一部として見なすことも可能である。
【００８６】
本発明の第七実施形態に係るボックスホルダー２３１０は、弾性のよい材料、即ちゴムまたは樹脂で作られる。ボックスホルダー２３１０の大きさは包装ボックスのサイズより小さく作られる。
【００８７】
図２４に示す如く、ユーザーが包装ボックス１０の入り口の第一カバー１１と第二カバー１２を向かい合わせて折った後、本発明の第七実施形態に係るボックスホルダー２３１０を包装ボックス１０の上面から下にゆっくりはめ込むと、ボックスホルダー２３１０は包装ボックス１０の全ての側面１３を中心に向けるように抑え、支持部（図２３の参照符号２３１３）に加わる力によって水平バー（図２３の参照符号２３１１、２３１２）は第一カバー１１と第二カバー１２を下に抑えてくれて完全密閉包装ができる。また、ボックスホルダーは、ボックスのカバーをそれらの位置に位置づけ、ユーザーは包装の際、手でボックスを掴んだり、抑えたりする必要がなく、手が自由になる。ユーザーは本発明の第七実施形態に係るボックスホルダー２３１０によって包装された包装ボックス１０を宅配業者に頼んで望む場所に届けることができる。
【００８８】
第七実施形態は、互いに所定間隔をおいて離隔した二つの水平バー２３１１、２３１２とその水平バー２３１１、２３１２の端部を全て繋ぐように形成された四角支持部材を含むように構成され、その水平バー２３１１、２３１２の長さは該水平バーに平行に配置される四角支持部材の辺の長さよりさらに長く構成したもとと言える。
【００８９】
一方、ユーザーは包装ボックス１０の第一カバー１１と第二カバー１２が向い合う端に補助固定手段であるテープ２１を付着することができる。図示はしなかったが、ユーザーは補助固定手段であるテープ２１が付着された包装ボックス１０からボックスホルダー２３１０を解体して、宅配業者に頼んで望む場所に届けることができる。
【００９０】
図２５は、図４、８、１１、１４，１７に示したボックスホルダー４０，８０，１１１０、１４１０、１７１０に適用可能な例示である支持部材端部２３１１２の側面拡大図として、曲がるように形成したり、下部面が包装ボックスの側面に接触しない様に削られた形（Ｐ）で形成したりして、ボックスホルダーのはめ込みがより容易にできるように構成することができる。
【００９１】
以上のように、本明細書では、本発明が属する技術分野における通常の知識を有する者が本発明を容易に理解し、再現できるように図面に示した実施形態を参考に説明したが、これは例示的なものに過ぎず、当該技術分野に通常の知識を有する者なら、本発明の実施形態から多様な変形及び均等な他の実施形態が可能な点を理解するだろう。従って、本発明の技術的保護範囲は、添付された請求範囲によってのみ定められるべきである。
【図１】
2021506695.tif 000003
【図２】
2021506695.tif 000004
【図３】
2021506695.tif 000005
【図４】
2021506695.tif 000006
【図５】
2021506695.tif 000007
【図６】
2021506695.tif 000008
【図７】
2021506695.tif 000009
【図８】
2021506695.tif 000010
【図９】
2021506695.tif 000011
【図１０】
2021506695.tif 000012
【図１１】
2021506695.tif 000013
【図１２】
2021506695.tif 000014
【図１３】
2021506695.tif 000015
【図１４】
2021506695.tif 000016
【図１５】
2021506695.tif 000017
【図１６】
2021506695.tif 000018
【図１７】
2021506695.tif 000019
【図１８】
2021506695.tif 000020
【図１９】
2021506695.tif 000021
【図２０】
2021506695.tif 000022
【図２１】
2021506695.tif 000023
【図２２（ａ）】
2021506695.tif 000024
【図２２（ｂ）】
2021506695.tif 000025
【図２２（ｃ）】
2021506695.tif 000026
【図２３】
2021506695.tif 000027
【図２４】
2021506695.tif 000028
【図２５】
2021506695.tif 000029
【手続補正書】
【提出日】令和2年6月23日(2020.6.23)
【手続補正１】
【補正対象書類名】特許請求の範囲
【補正対象項目名】全文
【補正方法】変更
【補正の内容】
【特許請求の範囲】
【請求項１】
ボックスに装着されるボックスホルダーであって、
所定間隔で互いに平行に配置された一対の横折り曲げ部材、
前記横折り曲げ部材に垂直に結合され、互いに逆方向へと延長された少なくとも一対の縦折り曲げ部材、および
前記一対の横折り曲げ部材の端部又は前記一対の縦折り曲げ部材の端部の少なくともいずれかを繋ぐ支持部材を含むボックスホルダー。
【請求項２】
前記支持部材は包装ボックスの側面の支持力を増加させることを特徴とする請求項１に記載のボックスホルダー。
【請求項３】
前記支持部材は互いに隣接する前記一対の横折り曲げ部材の端部又は前記一対の縦折り曲げ部材の端部の少なくともいずれかを繋ぐ複数の支持部材を含むことを特徴とする請求項１に記載のボックスホルダー。
【請求項４】
前記支持部材は前記一対の横折り曲げ部材の端部及び前記一対の縦折り曲げ部材の端部の全てを連結する四角形の支持部材を含むことを特徴とする請求項１に記載のボックスホルダー。
【請求項５】
ボックスに装着されるボックスホルダーであって、
互いに所定間隔をおいて離隔した二つの水平バーと該水平バーから直角方向へと延長された一対の垂直バーを含み、相互対称に配置する際に十字架の形を成す一対の対称型バー、
前記対称型バーの複数の端部を結合可能な折り曲げ部材、および
前記折り曲げ部材の端部を繋ぐ支持部材
を含むボックスホルダー。
【請求項６】
前記支持部材は包装ボックスの側面の支持力を増加させることを特徴とする請求項５に記載にボックスホルダー。
【請求項７】
前記支持部材は長さが可変の態様で前記対称型バーに結合可能なことを特徴とする請求項５に記載のボックスホルダー。
【請求項８】
前記支持部材は互いに隣接する一対の前記折り曲げ部材の端部を繋ぐ複数の支持部材を含むことを特徴とする請求項７に記載のボックスホルダー。
【請求項９】
前記支持部材の上下の幅は前記対称型バーまたは前記折り曲げ部材の幅より大きく形成されることを特徴とする請求項７に記載のボックスホルダー。   
【請求項１０】
前記支持部材または前記対称型バーのうち、少なくとも一つに目印が表示されるように構成されていることを特徴とする請求項７に記載のボックスホルダー。
【請求項１１】
ボックスに装着されるボックスホルダーであって、
互いに所定間隔をおいて離隔した二つの水平バー、および
前記水平バーの端部を全て繋ぐように形成された四角形の支持部材を含むボックスホルダー。
【請求項１２】
前記水平バーと前記支持部材は弾性のある材料で形成されることを特徴とする請求項１１に記載のボックスホルダー。
【請求項１３】
前記水平バーと前記支持部材は一体型で形成されることを特徴とする請求項１２に記載のボックスホルダー。
【請求項１４】
前記水平バーの長さは、前記水平バーに平行に配置される前記支持部材の辺の長さよりさらに長いことを特徴とする請求項１３に記載のボックスホルダー。
【請求項１５】
前記支持部材の端部は、包装ボックスの側面に接触しないように削れた形で形成されることを特徴とする請求項１乃至請求項１４のうち、いずれか一項の請求項に記載のボックスホルダー。
【国際調査報告】
2021506695.tif 000030
2021506695.tif 000031
2021506695.tif 000032
2021506695.tif 000033